(57)【特許請求の範囲】
【請求項１】
電話帳データを記憶する第２の記憶手段を有する携帯型通信装置に接続可能で前記携帯型通信装置との間で情報の入出力を行うインタフェース手段と、
所定のユーザの名前データと、前記所定のユーザの電話番号データと、前記所定のユーザの電子メールアドレスデータとを記憶する第１の記憶手段と、
前記インタフェース手段が前記携帯型通信装置に接続されたとき、前記第１の記憶手段に記憶された前記所定のユーザの前記名前データ、前記電話番号データおよび前記電子メールアドレスデータの内少なくとも１つを含む前記電話帳データを前記第２の記憶手段に記憶させ、その後も前記インタフェース手段が前記携帯型通信装置に接続されているときに、当該携帯型通信装置の電話番号データを少なくとも含む電子メールを生成させ、前記生成した電子メールを前記第１の記憶手段に記憶された前記ユーザの電子メールアドレスに送信させるように、前記携帯型通信装置を制御する制御手段と
を有する
通信補助装置。
【請求項２】
前記制御手段は、前記制御を自動的に行う
請求項１に記載の通信補助装置。
【請求項３】
前記記憶手段は、前記携帯型通信装置がネットワークを介してアクセス可能な情報の前記ネットワーク上でのアドレスをさらに記憶し、
前記制御手段は、前記インタフェース手段が前記携帯型通信装置に接続されたときに、前記記憶手段から前記アドレスを読み出して前記インタフェース手段を介して前記携帯型通信装置に出力する制御を行う
請求項１または請求項２に記載の通信補助装置。
【請求項４】
前記記憶手段は、複数の前記情報に対応した複数のアドレスを記憶しており、
前記通信補助装置は、
前記記憶手段に記憶された複数のアドレスのうち、前記インタフェース手段を介して前記携帯型通信装置に出力される一つのアドレスを選択する選択手段
をさらに有する
請求項３に記載の通信補助装置。
【請求項５】
前記インタフェース手段、前記記憶手段および前記制御手段を収容する筐体と、
前記筐体に回転自在に固定され、所定の回転角度範囲で前記インタフェース手段のコネクタが外部に露出し、それ以外の回転角度範囲で前記コネクタを、前記筐体との間に形成される空間内に収容する蓋と
を有する請求項１〜４のいずれかに記載の通信補助装置。
【請求項６】
相互に接続または非接続にすることが可能であり、接続時に相互間で情報の伝送を行う携帯型通信装置と、通信補助装置とを有し、
前記通信補助装置は、
電話帳データを記憶する第２の記憶手段を有する携帯型通信装置に接続可能で前記携帯型通信装置との間で情報の入出力を行う第１のインタフェース手段と、
所定のユーザの名前データと、前記所定のユーザの携帯型通信装置の電話番号データと、前記所定のユーザの電子メールアドレスデータとを記憶する第１の記憶手段と、
前記第１のインタフェース手段が前記携帯型通信装置に接続されたとき、前記第１の記憶手段に記憶された前記所定のユーザの前記名前データ、前記電話番号データおよび前記電子メールアドレスデータの内少なくとも１つを含む電話帳データを前記第２の記憶手段に記憶させ、その後も前記第１のインタフェース手段が前記携帯型通信装置に接続されているときに、当該携帯型通信装置の電話番号データを少なくとも含む電子メールを生成させ、前記生成した電子メールを前記第１の記憶手段に記憶された前記ユーザの電子メールアドレスに送信させるように、前記携帯型通信装置を制御する第１の制御手段と
を有し、
前記携帯型通信装置は、
前記通信補助装置の前記第１のインタフェースに接続可能で接続時に前記通信補助装置との間で情報の入出力を行う第２のインタフェース手段と、
前記第１のインタフェースと前記第２のインタフェースとが接続されたとき、前記第１の制御手段の制御に基づいて、前記第２のインタフェース手段を介して前記通信補助装置から入力した前記所定のユーザの前記電話帳データを前記第２の記憶手段に記憶させ、その後も前記第１のインタフェース手段と前記第２のインタフェース手段とが接続されているときに、当該携帯型通信装置の電話番号データを少なくとも含む電子メールを生成し、前記生成した電子メールを前記第１の記憶手段に記憶された前記ユーザの電子メールアドレスに送信する第２の制御手段と
を有する
通信システム。
【請求項７】
通信補助装置を用いて、電話帳データを記憶する記憶手段を有する携帯型通信装置に所定のユーザに係わるデータを電話帳登録する通信方法であって、
前記通信補助装置が前記携帯型通信装置に接続されたとき、前記通信補助装置から前記携帯型通信装置に、所定のユーザの名前データと、前記所定のユーザの電話番号データと、前記所定のユーザの電子メールアドレスデータとが自動的に出力され、
前記携帯型通信装置が、前記通信補助装置の制御により、前記通信補助装置から入力した前記名前データと、前記電話番号データと、前記ユーザの電子メールアドレスデータとのうち少なくとも１つを含む前記電話帳データを自動的に前記記憶手段に記憶させ、その後も前記通信補助装置が前記携帯型通信装置に接続されているときに、当該携帯型通信装置の電話番号データを少なくとも含む電子メールを生成し、当該生成した電子メールを前記通信補助装置から出力された前記所定のユーザの電子メールアドレスに送信する
通信方法。
【発明の詳細な説明】
【０００１】
【発明の属する技術分野】
本発明は、携帯型通信装置を用いて、複数のユーザがお互いの名前、電話番号および電子メールアドレスなどの情報を簡単に交換することを可能にする通信補助装置、通信システムおよび通信方法に関する。
【０００２】
【従来の技術】
近年、携帯電話装置を使った通信、並びにインターネットを介した電子メールの送受信が普及し、他人の携帯電話装置の電話番号および電子メールアドレスなどの交換がユーザ間で頻繁に行われている。
従来では、例えば、各ユーザが、他人から聞いた当該他人の携帯電話装置の電話番号や電子メールアドレスを、電話帳機能を使って、携帯電話装置の操作ボタンを操作して登録（入力）している。
ユーザは、上記登録後は、当該携帯電話装置を操作して電話帳登録された当該他人の携帯電話装置の電話番号や電子メールアドレスを検索して指定するだけで、再び当該電話番号や電子メールアドレスを入力することなく、当該他人への発呼、並びに電子メールの送信を行うことができる。
【０００３】
【発明が解決しようとする課題】
しかしながら、上述した従来の手法では、ユーザが、一度は、他人の電話番号や電子メールアドレスを、操作ボタンを操作して携帯電話装置に入力する必要があり、ユーザの負担が大きいという問題がある。
【０００４】
本発明は上述した従来技術の問題点に鑑みてなされ、他人の電話番号や電子メールアドレスを簡単な操作で、携帯型通信装置に電話帳登録できる通信補助装置、通信システムおよび通信方法を提供することを目的とする。
【０００５】
【課題を解決するための手段】
上述した従来技術の問題点を解決し、上述した目的を達成するために、第１の発明の通信補助装置は、電話帳データを記憶する第２の記憶手段を有する携帯型通信装置に接続可能で前記携帯型通信装置との間で情報の入出力を行うインタフェース手段と、所定のユーザの名前データと、前記所定のユーザの電話番号データと、前記所定のユーザの電子メールアドレスデータとを記憶する第１の記憶手段と、前記インタフェース手段が前記携帯型通信装置に接続されたとき、前記第１の記憶手段に記憶された前記所定のユーザの前記名前データ、前記電話番号データおよび前記電子メールアドレスデータの内少なくとも１つを含む前記電話帳データを前記第２の記憶手段に記憶させ、その後も前記インタフェース手段が前記携帯型通信装置に接続されているときに、当該携帯型通信装置の電話番号データを少なくとも含む電子メールを生成させ、前記生成した電子メールを前記第１の記憶手段に記憶された前記ユーザの電子メールアドレスに送信させるように、前記携帯型通信装置を制御する制御手段とを有する。
【０００６】
本発明の通信システムは、相互に接続または非接続にすることが可能であり、接続時に相互間で情報の伝送を行う携帯型通信装置と、通信補助装置とを有し、前記通信補助装置は、電話帳データを記憶する第２の記憶手段を有する携帯型通信装置に接続可能で前記携帯型通信装置との間で情報の入出力を行う第１のインタフェース手段と、所定のユーザの名前データと、前記所定のユーザの携帯型通信装置の電話番号データと、前記所定のユーザの電子メールアドレスデータとを記憶する第１の記憶手段と、前記第１のインタフェース手段が前記携帯型通信装置に接続されたとき、前記第１の記憶手段に記憶された前記所定のユーザの前記名前データ、前記電話番号データおよび前記電子メールアドレスデータの内少なくとも１つを含む電話帳データを前記第２の記憶手段に記憶させ、その後も前記第１のインタフェース手段が前記携帯型通信装置に接続されているときに、当該携帯型通信装置の電話番号データを少なくとも含む電子メールを生成させ、前記生成した電子メールを前記第１の記憶手段に記憶された前記ユーザの電子メールアドレスに送信させるように、前記携帯型通信装置を制御する第１の制御手段とを有し、前記携帯型通信装置は、前記通信補助装置の前記第１のインタフェースに接続可能で接続時に前記通信補助装置との間で情報の入出力を行う第２のインタフェース手段と、前記第１のインタフェースと前記第２のインタフェースとが接続されたとき、前記第１の制御手段の制御に基づいて、前記第２のインタフェース手段を介して前記通信補助装置から入力した前記所定のユーザの前記電話帳データを前記第２の記憶手段に記憶させ、その後も前記第１のインタフェース手段と前記第２のインタフェース手段とが接続されているときに、当該携帯型通信装置の電話番号データを少なくとも含む電子メールを生成し、前記生成した電子メールを前記第１の記憶手段に記憶された前記ユーザの電子メールアドレスに送信する第２の制御手段とを有する。
【０００７】
通信補助装置を用いて、電話帳データを記憶する記憶手段を有する携帯型通信装置に所定のユーザに係わるデータを電話帳登録する通信方法であって、前記通信補助装置が前記携帯型通信装置に接続されたとき、前記通信補助装置から前記携帯型通信装置に、所定のユーザの名前データと、前記所定のユーザの電話番号データと、前記所定のユーザの電子メールアドレスデータとが自動的に出力され、前記携帯型通信装置が、前記通信補助装置の制御により、前記通信補助装置から入力した前記名前データと、前記電話番号データと、前記ユーザの電子メールアドレスデータとのうち少なくとも１つを含む前記電話帳データを自動的に前記記憶手段に記憶させ、その後も前記通信補助装置が前記携帯型通信装置に接続されているときに、当該携帯型通信装置の電話番号データを少なくとも含む電子メールを生成し、当該生成した電子メールを前記通信補助装置から出力された前記所定のユーザの電子メールアドレスに送信する。
【００１３】
【発明の実施の形態】
以下、本発明の実施形態に係わる通信システムについて説明する。
第１実施形態
図１は、本実施形態の通信システム６１の全体構成図である。
図１に示すように、通信システム６１は、携帯電話装置７ａ，７ｂ、通信補助装置８および携帯電話通信制御装置９を有する。
また、携帯電話装置７ａには通信補助装置８（本発明の通信補助装置）が着脱自在に装着され、着時に携帯電話装置７ａと通信補助装置８との間で情報が入出力される。
〔携帯電話装置７ａ，７ｂ〕
携帯電話装置７ａは、ユーザＡによって使用される。また、携帯電話装置７ｂは、ユーザＢ（本発明の所定のユーザ）によって使用される。
携帯電話装置７ａ，７ｂは、例えば、同じ構成を有している。
図２は、携帯電話装置７ａ，７ｂの機能ブロック図である。
図２に示すように、携帯電話装置７ａ，７ｂは、通信インタフェース部１０（本発明の第２のインタフェース手段）、表示部１１、操作部１２、記憶部１３（本発明の第２の記憶手段）および制御部１４（本発明の第２の制御手段）を有する。
通信インタフェース部１０は、通信補助装置８の後述する通信インタフェース部のコネクタに着脱自在に装着されるコネクタを有し、着時に通信補助装置８との間で情報の入出力を行うインタフェースである。
表示部１１は、例えば、液晶ディスプレイであり、制御部１４の制御に基づいて、表示信号に応じた画像を表示する。
【００１４】
操作部１２は、キーボードやマウスなどであり、ユーザによる操作に応じた操作信号を制御部１４に出力する。
記憶部１３は、例えば、ＥＥＰＲＯＭ(Electronically Erasable Programmable Read Only Memory) であり、携帯電話装置７ａ，７ｂの処理に必要な情報を記憶する。
また、記憶部１３は、出荷前に、ユーザによる書き換えができない状態で、携帯電話装置７ａ，７ｂの製造番号および電話番号データが記憶されている。
また、記憶部１３は、例えば、電話帳データ１３ａを記憶する。
電話帳データ１３ａは、制御部１４の電話帳機能により、電話帳登録された各ユーザの名前データ、電話番号データおよび電子メールアドレスデータからなり、例えば、これらのデータが登録時に割り当てられたＩＤデータと関連付けられている。
【００１５】
制御部１４は、携帯電話装置７ａ，７ｂの処理を統括的に制御する。
また、制御部１４は、携帯電話装置７ａ，７ｂに通信補助装置８が装着されたときに、通信補助装置８の制御部からの制御に基づいて、後述する制御を行う。
【００１６】
〔通信補助装置８〕
図３は通信補助装置８の機能ブロック図、図４は図３に示す記憶部２１に記憶されるデータを説明するための図である。
図３に示すように、通信補助装置８は、通信インタフェース部２０（本発明のインタフェース手段および第１のインタフェース手段）、記憶部２１（本発明の記憶手段および第１の記憶手段）および制御部２３（本発明の制御手段および第１の制御手段）を有する。
通信インタフェース部２０は、携帯電話装置７ａの通信インタフェース部１０のコネクタに着脱自在に装着されるコネクタを有し、着時に携帯電話装置７ａとの間で情報の入出力を行うインタフェースである。通信インタフェース部２０は、携帯電話装置７ａの他にコンピュータの通信インタフェース部にも接続可能である。
【００１７】
記憶部２１は、例えば、記憶内容を電気的に消去可能な不揮発性メモリであるＥＥＰＲＯＭであり、図４に示すように、所定のユーザ（本実施形態では、ユーザＢ）の氏名データ７０、電話番号データ７１および電子メールアドレスデータ７２を記憶する。
【００１８】
制御部２３は、通信補助装置８の処理を統括的に制御する。
また、制御部２３は、通信補助装置８が携帯電話装置７ａに装着されたときに、後述するように携帯電話装置７ａの制御部１４を制御する。
【００１９】
図５（Ａ）は蓋４１を閉めた状態での通信補助装置８の正面図、図５（Ｂ）は図５（Ａ）に示す矢印Ａの方向から見た通信補助装置８の側面図、図６（Ａ）は通信補助装置８の筐体内に収納された回路基板の正面図、図６（Ｂ）は図６（Ａ）に示す回路基板の矢印Ｂの方向から見た側面図、図７（Ａ）は蓋を開いた状態での通信補助装置８の正面図、図７（Ｂ）は図７（Ａ）に示す矢印Ｃの方向から見た通信補助装置８の側面図、図８（Ａ）は通信補助装置８を携帯電話装置７ａに装着した状態での正面図、図８（Ｂ）はその側面図である。
【００２０】
図５（Ａ），（Ｂ）に示すように、蓋４１が閉じた状態では、蓋４１は筐体４０の凸部４０ａによって係止している。
図５（Ａ），（Ｂ）に示すように、通信補助装置８は、円盤形状の筐体４０内に、図６（Ａ），（Ｂ）に示す回路基板５０を収容している。
【００２１】
回路基板５０の一方の面には、切り換え部本体５１と切り換え用操作部５１ａとからなる第２実施形態で説明するＵＲＬ切換部２２、発振回路５２、制御部２３および記憶部２１が設けられている。
回路基板５０の他方の面には、発振回路５２、制御部２３および記憶部２１に電力を供給する電池５３が設けられている。
また、回路基板５０の端部には、図３に示す通信インタフェース部２０を構成するコネクタ２０ａが設けられている。
図５（Ａ），（Ｂ）に示すように、蓋４１を閉めた状態では、図６（Ａ）に示すコネクタ２０ａは、蓋４１と筐体４０とによって形成される空間内に収容されている。
【００２２】
ユーザが指などで図５（Ａ）に示す回転軸４２を中心として蓋４１を矢印の向きに回転すると、図７（Ａ），（Ｂ）に示すように、コネクタ２０ａおよびＵＲＬ切換部２２が現れる。
ユーザは、コネクタ２０ａを、携帯電話装置７ａの通信インタフェース部１０の凹状のコネクタ９７ａに装着し、切り換え用操作部５１ａを指などで移動して、第２実施形態で説明するアクセス情報ＡＣ＿１  ，ＡＣ＿２  ，ＡＣ＿３  のうち何れのアクセス情報を選択するかを決定する。
【００２３】
〔携帯電話通信制御装置９〕
携帯電話通信制御装置９は、携帯電話通信の中継機能、回線接続機能などを有し、携帯電話装置７ａと７ｂとの間の無線回線通信を制御する。
なお、携帯電話通信制御装置９は、例えば、インターネットなどの通信回線に接続され、携帯電話装置７ａから受信した電子メールを、インターネットを介して、携帯電話装置７ｂまたは電子メール配信用サーバ装置に送信する。
【００２４】
以下、図１に示す通信システム６１の動作例を説明する。
図９は、図１に示す通信システム６１の動作例を説明するための図である。
ステップＳＴ１１：
携帯電話装置７ｂのユーザＢが、例えば、パーソナルコンピュータに通信補助装置８を装着し、パーソナルコンピュータのキーボードを操作して、ユーザＢの氏名データ７０と、携帯電話装置７ｂの電話番号データ７１と、ユーザＢの電子メールアドレス７２とを入力する。
パーソナルコンピュータは、当該入力された氏名データ７０、電話番号データ７１および電子メールアドレス７２を、図３に示す通信補助装置８の通信インタフェース部２０を介して記憶部２１に書き込む。
【００２５】
ステップＳＴ１２：
ユーザＢは、例えば、ユーザＡと出会ったときに、自らの連絡先をユーザＡに伝えるときに、通信補助装置８をユーザＡに手渡す。
ユーザＡは、通信補助装置８を、自らの携帯電話装置７ａに装着する。
【００２６】
ステップＳＴ１３：
図３に示す通信補助装置８の制御部２３は、通信補助装置８が携帯電話装置７ａに装着されたことを検出すると、通信インタフェース部２０を介して、要求ＲＥＱ１１を携帯電話装置７ａに自動的に送信する。
当該要求ＲＥＱ１１は、図２に示す携帯電話装置７ａの通信インタフェース部１０で受信される。
【００２７】
ステップＳＴ１４：
図２に示す携帯電話装置７ａの制御部１４は、ステップＳＴ１３で受信した要求ＲＥＱ１１に基づいて、通信インタフェース部１０および通信インタフェース部２０を介して、通信補助装置８の記憶部２１にアクセスし、記憶部２１から、ユーザＢの氏名データ７０、電話番号データ７１および電子メールアドレス７２を読み出す。
【００２８】
ステップＳＴ１５：
携帯電話装置７ａの制御部１４は、ステップＳＴ１４で読み出したユーザＢの氏名データ７０、電話番号データ７１および電子メールアドレス７２を、電話帳データ１３ａとして記憶部１３に書き込む。これにより、ユーザＢの連絡先が、記憶部１３に電話帳登録される。
【００２９】
ステップＳＴ１６：
携帯電話装置７ａの制御部１４は、例えば、通信補助装置８の制御部２３の制御に基づいて、記憶部１３から読み出したユーザＡの携帯電話装置７ａの電話番号データを含む電子メールを生成する。
【００３０】
ステップＳＴ１７：
携帯電話装置７ａの制御部１４は、ステップＳＴ１６で生成した電子メールを、ステップＳＴ１５で登録したユーザＢの電子メールアドレス７２を送信先として携帯電話通信制御装置９に送信する。
当該電子メールは、携帯電話通信制御装置９を介して、例えば、図２に示す携帯電話装置７ｂの通信インタフェース部１０で受信される。
これにより、ユーザＢは、ユーザＡの電話番号データ、並びに、電子メールアドレスを取得できる。
【００３１】
以上説明したように、通信システム６１によれば、携帯電話装置７ａのユーザは、通信補助装置８を携帯電話装置７ａに装着するだけで、携帯電話装置７ａ内に記憶されたユーザＢの氏名データ７０、電話番号データ７１および電子メールアドレス７２を、携帯電話装置７ａに自動的に電話帳登録できる。そのため、携帯電話装置７ａのユーザＡは、ユーザＢの氏名データ７０、電話番号データ７１および電子メールアドレス７２を、キー操作で携帯電話装置７ａに登録する必要がなくなり、手間が大幅に軽減される。
【００３２】
第２実施形態
図１０は、本実施形態の通信システム１の全体構成図である。
図１０に示すように、通信システム１では、インターネットなどの通信網４を介して、ホームページ情報が格納されたサーバ装置２と携帯電話通信事業者のサーバ装置５とが接続される。
また、通信システム１では、携帯電話通信網などの通信網６を介して、サーバ装置５と携帯電話装置７ａ（本発明の通信装置）とが接続される。
また、携帯電話装置７ａには通信補助装置８（本発明の通信補助装置）が着脱自在に装着され、着時に携帯電話装置７ａと通信補助装置８との間で情報が入出力される。
【００３３】
以下、図１０に示す各構成要素について説明する。
〔サーバ装置２〕
サーバ装置２は、例えば、広告主Ｃ＿１のホームページ情報ＨＰ＿１と、広告主Ｃ＿２のホームページ情報ＨＰ＿２と、広告主Ｃ＿３のホームページ情報ＨＰ＿３（本発明の情報）とを記憶する。
【００３４】
〔サーバ装置５〕
サーバ装置５は、通信網４に接続されたサーバ装置２と、通信網６に接続された携帯電話装置７ａとの間の通信制御を行う。
【００３５】
〔携帯電話装置７ａ〕
携帯電話装置７ａは、第１実施形態で説明した図２に示す携帯電話装置７ａと同じである。
〔通信補助装置８〕
図１１は本実施形態の通信補助装置８の機能ブロック図、図１２は図１１に示す記憶部２１に記憶されるデータを説明するための図である。
図１１に示すように、本実施形態の通信補助装置８は、通信インタフェース部２０（本発明のインタフェース手段および第１のインタフェース手段）、記憶部２１（本発明の記憶手段および第１の記憶手段）、ＵＲＬ切換部２２（本発明の選択手段）および制御部２３（本発明の制御手段および第１の制御手段）を有する。
通信インタフェース部２０は、携帯電話装置７ａの通信インタフェース部１０のコネクタに着脱自在に装着されるコネクタを有し、着時に携帯電話装置７ａとの間で情報の入出力を行うインタフェースである。通信インタフェース部２０は、携帯電話装置７ａの他にコンピュータの通信インタフェース部にも接続可能である。
【００３６】
記憶部２１は、例えば、記憶内容を電気的に消去可能な不揮発性メモリであるＥＥＰＲＯＭであり、図１２に示すように、第１実施形態で説明したユーザＢの氏名データ７０、電話番号データ７１および電子メールアドレス７２に加えて、図１０に示すサーバ装置２に記憶されたホームページ情報ＨＰ＿１  ，ＨＰ＿２，ＨＰ＿３  へのアクセス情報ＡＣ＿１  ，ＡＣ＿２  ，ＡＣ＿３  を記憶する。
図１３に示すように、アクセス情報ＡＣ＿１は、ホームページ情報ＨＰ＿１のＵＲＬであるＵＲＬ＿１と、ホームページ情報ＨＰ＿１にアクセスする際の認証に用いられるアクセス元識別子ＩＤ＿１と、パスワードＰＡＳＳ＿１とを有する。また、アクセス情報ＡＣ＿２は、ホームページ情報ＨＰ＿２のＵＲＬであるＵＲＬ＿２と、ホームページ情報ＨＰ＿２にアクセスする際の認証に用いられるアクセス元識別子ＩＤ＿２と、パスワードＰＡＳＳ＿２とを有する。また、アクセス情報ＡＣ＿３は、ホームページ情報ＨＰ＿３のＵＲＬであるＵＲＬ＿３と、ホームページ情報ＨＰ＿３にアクセスする際の認証に用いられるアクセス元識別子ＩＤ＿３と、パスワードＰＡＳＳ＿３とを有する。
【００３７】
ＵＲＬ切換部２２は、例えば、機械式のスイッチであり、ユーザによる指などの操作に応じて、図１３に示すように、記憶部２１に記憶されたアクセス情報ＡＣ＿１，ＡＣ＿２，ＡＣ＿３のうち、切り換え用操作部５１ａの位置に応じて選択されたアクセス情報を、制御部２３の制御に基づいて、通信インタフェース部２０に出力する。
制御部２３は、通信補助装置８の処理を統括的に制御する。
制御部２３は、第１実施形態で説明した制御の他に、以下の動作例で説明する制御を行う。
【００３８】
以下、図１０に示す通信システム１の動作例を説明する。
通信システム１は、前述した第１実施形態で説明した動作例の他に、以下に示す動作例を選択して行うことができる。
図１４は、図１０に示す通信システム１の動作例を説明するための図である。通信システム１が以下に示す動作を行う前提として、例えば、広告主Ｃ＿１，Ｃ＿２，Ｃ＿３が自らあるいは、当該広告主が他人に依頼して、携帯電話装置７ａのユーザに通信補助装置８が配られる。
そして、ユーザは、図７（Ａ），（Ｂ）に示すように蓋４１を開いた状態にして、切り換え用操作部５１ａを操作して、例えば、図１３に示すように、記憶部２１に記憶されたアクセス情報ＡＣ＿１を選択する。
また、ユーザは、図８（Ａ），（Ｂ）に示すように、通信補助装置８のコネクタ２０ａを、携帯電話装置７ａのコネクタ９７ａに差し込む。これにより、携帯電話装置７ａと通信補助装置８との間で情報の入出力が可能になる。
【００３９】
ステップＳＴ１：
図１１に示す通信補助装置８の制御部２３は、コネクタ２０ａが携帯電話装置７ａのコネクタ９７ａに差し込まれたことを検出すると、通信インタフェース部２０を介して携帯電話装置７ａに要求ＲＥＱ１を出力する。
当該要求ＲＥＱ１は、図２に示す携帯電話装置７ａの通信インタフェース部１０に入力される。
【００４０】
ステップＳＴ２：
図２に示す携帯電話装置７ａの制御部１４は、ステップＳＴ１で入力した要求ＲＥＱ１に応じて、携帯電話装置７ａの製造番号および電話番号を記憶部１３から読出、これを通信インタフェース部１０を介して通信補助装置８に出力する。当該製造番号および電話番号は、図１１に示す通信補助装置８の通信インタフェース部２０に入力され、記憶部２１に記憶される。
【００４１】
ステップＳＴ３：
図１１に示す通信補助装置８の制御部２３は、図１３に示すように切り換え用操作部５１ａによって選択されているアクセス情報ＡＣ＿１と、ステップＳＴ２で記憶した携帯電話装置７ａの製造番号および電話番号とを記憶部２１から読み出す。
そして、制御部２３は、当該読み出した情報を含む要求ＲＥＱ２を生成し、通信インタフェース部２０を介して携帯電話装置７ａに出力する。
当該要求ＲＥＱ２は、図２に示す携帯電話装置７ａの通信インタフェース部１０に入力され、当該要求ＲＥＱ２に含まれる情報が記憶部１３に記憶される。
【００４２】
ステップＳＴ４：
図２に示す携帯電話装置７ａの制御部１４は、要求ＲＥＱ２に応じて、ステップＳＴ３で記憶したホームページ情報ＨＰ＿１のＵＲＬ＿１に基づいて、通信インタフェース部１０から通信網６を介してサーバ装置５にアクセスを行い、サーバ装置５の制御に基づいて、通信網４を介してサーバ装置２にアクセスを行う。このとき、制御部１４は、ステップＳＴ３で記憶したアクセス情報ＡＣ＿１に含まれるアクセス元識別子ＩＤ＿１と、パスワードＰＡＳＳ＿１と、携帯電話装置７ａの製造番号および電話番号とを認証用情報として、通信インタフェース部１０から通信網６、サーバ装置５および通信網４を介してサーバ装置２に送信する。
サーバ装置２は、携帯電話装置７ａから受信したアクセス元識別子ＩＤ＿１、パスワードＰＡＳＳ＿１、携帯電話装置７ａの製造番号および電話番号に基づいて、アクセス元の認証処理を行い、適切なユーザであると判断すると、携帯電話装置７ａによる当該アクセスを許可する。これにより、サーバ装置２に記憶されたホームページ情報ＨＰ＿１が、通信網４、サーバ装置５および通信網６を介して携帯電話装置７ａに送信され、当該ホームページ情報ＨＰ＿１に応じた画面が携帯電話装置７ａの表示部１１に表示される。
【００４３】
以上説明したように、通信システム１によれば、第１実施形態の効果に加えて以下の効果を有する。
すなわち、通信システム１によれば、携帯電話装置７ａのユーザは、通信補助装置８を携帯電話装置７ａに装着するだけで、携帯電話装置７ａ内に記憶されたＵＲＬのホームページ情報に自動的にアクセスできる。そのため、ユーザは、携帯電話装置７ａの操作部１２を操作して、ＵＲＬを入力する必要がなくなり、負担が大幅に軽減される。また、当該ＵＲＬを開設した広告主にとっても、ユーザからのアクセスが増えることで、高い広告効果が得られる。
また、通信システム１によれば、通信補助装置８の機能によって、アクセス元識別子ＩＤ＿１と、パスワードＰＡＳＳ＿１と、携帯電話装置７ａの製造番号および電話番号とが自動的に携帯電話装置７ａからサーバ装置２に送信されるため、サーバ装置２は不正なアクセスを排除でき、セキュリティが高められる。
また、通信システム１によれば、通信補助装置８には複数のＵＲＬが記憶されていると共に、通信補助装置８に記憶されるＵＲＬをユーザが任意に書き換えできることから便利である。
【００４４】
本発明は上述した実施形態には限定されない。
例えば、上述した第１実施形態で、ユーザＢが所有する通信補助装置８の記憶部２１に、ユーザＢの氏名データ７０、電話番号データ７１および電子メールアドレス７２を記憶した場合を例示したが、ユーザＢ以外の単数または複数のユーザの氏名データ７０、電話番号データ７１および電子メールアドレス７２を記憶部２１に記憶し、図６に示すＵＲＬ切換部２２を用いて、これらのうち指定したユーザの氏名データ７０、電話番号データ７１および電子メールアドレス７２を携帯電話装置７ａに電話帳登録させるようにしてもよい。
【００４５】
また、上述した実施形態では、通信補助装置８が携帯電話装置７ａに装着されたときに、携帯電話装置７ａからユーザＢの電子メールアドレス７２に、携帯電話装置７ａの電話番号データを含む電子メールを自動的に送信する場合を例示したが、当該電子メールの送信は行わなくてもよい。また、電子メールの送信に代えて、ユーザＢの電話番号データ７１を用いて携帯電話装置７ｂに発呼して、携帯電話装置７ａの電話番号データを携帯電話装置７ｂに通知してもよい。
【００４６】
また、例えば、上述した第２実施形態では、図１２および図１３に示すように、通信補助装置８の記憶部２１に３個のＵＲＬを記憶し、これらを選択することで３箇所のホームページ情報にアクセスする場合を例示したが、記憶部２１に記憶して選択可能なＵＲＬの数は任意である。
【００４７】
また、上述した第２実施形態では、通信補助装置８の記憶部２１に予めＵＲＬが記憶されている場合を例示したが、携帯電話装置７ａの通信インタフェース部２０を、パーソナルコンピュータなどのコンピュータの通信インタフェース部に接続することで、コンピュータから記憶部２１に新たなＵＲＬを記憶したり、記憶部２１に記憶されているＵＲＬを書き換えたりしてもよい。
このようにすることで、ユーザは、通信補助装置８を携帯電話装置７ａに接続するだけで、ボタン数の少ない携帯電話装置７ａの操作部１２を操作することなく、任意のＵＲＬのホームページ情報にアクセスを行うことができる。
【００４８】
また、記憶部２１に記憶されているＵＲＬを、コンピュータから参照してもよい。
また、上述した第２実施形態では、単体のサーバ装置に記憶する複数のホームページ情報に携帯電話装置７ａがアクセスを行う場合を例示したが、複数のサーバ装置に記憶された複数のホームページ情報に携帯電話装置７ａがアクセスする場合にも本発明は適用可能である。
【００４９】
【発明の効果】
以上説明したように、本発明によれば、他人の電話番号や電子メールアドレスを簡単な操作で、携帯型通信装置に電話帳登録できる通信補助装置、通信システムおよび通信方法を提供することができる。
【図面の簡単な説明】
【図１】図１は、本発明の第１実施形態の通信システムの全体構成図である。
【図２】図２は、図１に示す携帯電話装置の機能ブロック図である。
【図３】図３は、図１に示す通信補助装置の機能ブロック図である。
【図４】図４は、図３に示す記憶部に記憶されるデータを説明するための図である。
【図５】図５（Ａ）は、蓋を閉めた状態での通信補助装置の正面図、図５（Ｂ）は図５（Ａ）に示す矢印Ａの方向から見た通信補助装置の側面図である。
【図６】図６（Ａ）は通信補助装置の筐体内に収納された回路基板の正面図、図６（Ｂ）は図６（Ａ）に示す回路基板の矢印Ｂの方向から見た側面図である。
【図７】図７（Ａ）は蓋を開いた状態での通信補助装置の正面図、図７（Ｂ）は図７（Ａ）に示す矢印Ｃの方向から見た通信補助装置の側面図である。
【図８】図８（Ａ）は通信補助装置を携帯電話装置に装着した状態での正面図、図８（Ｂ）はその側面図である。
【図９】図９は、図１に示す通信システムの動作例を説明するための図である。
【図１０】図１０は、本発明の第２実施形態の通信システムの全体構成図である。
【図１１】図１１は、図１０に示す通信補助装置の機能ブロック図である。
【図１２】図１２は、図１１に示す記憶部に記憶されるデータを説明するための図である。
【図１３】図１３は、図１１に示すＵＲＬ切換部の機能を説明するための図である。
【図１４】図１４は、図１０に示す通信システムの動作例を説明するための図である。
【符号の説明】
１…通信システム、２…サーバ装置、４…通信網、５…サーバ装置、６…通信網、７，７ａ，７ｂ…携帯電話装置、８…通信補助装置、１０…通信インタフェース部、１１…表示部、１２…操作部、１３…記憶部、１３ａ…電話帳データ、１４…制御部、２０…通信インタフェース部、２１…記憶部、２２…ＵＲＬ切換部、２３…制御部、ＡＣ＿１，ＡＣ＿２，ＡＣ＿３…アクセス情報、４０…筐体、４１…蓋、２０ａ…コネクタ、５１ａ…切り換え用操作部、７０…氏名データ、７１…電話番号データ、７２…電子メールアドレス
【図１】
0003904412.tif 000002
【図２】
0003904412.tif 000003
【図３】
0003904412.tif 000004
【図４】
0003904412.tif 000005
【図５】
0003904412.tif 000006
【図６】
0003904412.tif 000007
【図７】
0003904412.tif 000008
【図８】
0003904412.tif 000009
【図９】
0003904412.tif 000010
【図１０】
0003904412.tif 000011
【図１１】
0003904412.tif 000012
【図１２】
0003904412.tif 000013
【図１３】
0003904412.tif 000014
【図１４】
0003904412.tif 000015